(57)【要約】   【課題】砂地盤又は砂礫地盤の湧水防止又は軟弱地盤の改良を目的として地盤の透水性を低下させる方法、換言すれば低透水層を形成する方法、および同方法の実施に使用される注入管装置を提供する。  【解決手段】注入管装置２は、２種類の溶液Ｘ、Ｙを別々に送給する２本の注入管１０、１１及び注入孔１８を上下に仕切る仕切り手段６を備え、仕切り手段６により上下に仕切られた注入区間７Ａ〜７Ｄから地盤中へ２種類の溶液Ｘ、Ｙを互い違いの順列で注入する構成とする。注入孔１８内へ設置した注入管装置２は、仕切り手段６で注入孔１８を上下方向に注入区間７Ａ〜７Ｄに仕切った後に、各注入区間７Ａ〜７Ｄから地盤中へ２種類の溶液Ｘ、Ｙを互い違いの順列でそれぞれ水平方向に注入させる。２種類の溶液Ｘ、Ｙを地盤１内で混合させ反応させて地盤中に微細で水に難溶性の析出物８を複数層発生させ地盤の透水性を低下させる。【選択図】図１
2006299758.tif 000002
【特許請求の範囲】
【請求項１】
地盤中に注入孔を掘削し、前記注入孔へ注入管装置を挿入して設置し、地上から前記注入管装置を通じて２種類の溶液を別々に注入し、注入した前記２種類の溶液を地盤内で混合させ反応させて地盤中に微細で水に難溶性の析出物を発生させ地盤の透水性を低下させる方法において、
前記注入管装置は、２種類の溶液を別々に送給する２本の注入管、及び注入孔を上下に仕切る複数の仕切り手段を備え、前記仕切り手段により上下に仕切られた複数の注入区間から地盤中へ２種類の溶液を互い違いの順列で注入する構成とし、
注入孔内へ設置した注入管装置は、前記仕切り手段で注入孔を上下方向に複数の注入区間に仕切った後に、各注入区間から地盤中へ２種類の溶液を互い違いの順列でそれぞれ水平方向に注入させ、
前記２種類の溶液を地盤内で混合させ反応させて地盤中に微細で水に難溶性の析出物を複数層発生させ地盤の透水性を低下させることを特徴とする、地盤の透水性を低下させる方法。
【請求項２】
地盤中に一定の間隔を空けて注入孔と揚水孔を掘削し、前記注入孔へは注入管装置を挿入し、揚水孔へは揚水管装置を挿入してそれぞれ設置し、地上から前記注入管装置を通じて２種類の溶液を別々に注入し、他方の揚水管装置で地下水を揚水し地盤中に局所的な動水勾配を形成して地下水流れを生じさせ、注入した前記２種類の溶液を地盤内で混合させ反応させて地盤中に微細で水に難溶性の析出物を発生させ地盤の透水性を低下させる方法において、
前記注入管装置は、２種類の溶液を別々に送給する２本の注入管、及び注入孔を上下に仕切る複数の仕切り手段を備え、前記仕切り手段により上下に仕切られた複数の注入区間から地盤中へ２種類の溶液を互い違いの順列で注入する構成とし、
注入孔内へ設置した注入管装置は、前記仕切り手段で注入孔を上下方向に複数の注入区間に仕切った後に、各注入区間から地盤中へ２種類の溶液を互い違いの順列でそれぞれ水平方向に注入させ、
揚水孔内へ設置した揚水管装置で、地盤中の地下水を揚水して地盤中に局所的な動水勾配を形成し地下水流れを生じさせ、
地盤中へ注入した前記２種類の溶液を地盤内で混合させ反応させて地盤中に微細で水に難溶性の析出物を複数層発生させ地盤の透水性を低下させることを特徴とする、地盤の透水性を低下させる方法。
【請求項３】
地盤中へ注入する２種類の水溶液は、＋２価又は＋３価の鉄イオンを含む水溶液と、これを酸化させる水溶液であることを特徴とする、請求項１又は２に記載した地盤の透水性を低下させる方法。
【請求項４】
地盤中へ注入する２種類の水溶液は、硫酸第１鉄水溶液（溶存鉄）と過マンガン酸カリウム水溶液（酸化剤）であることを特徴とする、請求項１又は２に記載した地盤の透水性を低下させる方法。
【請求項５】
地盤中に掘削した注入孔へ挿入して２種類の溶液を別々に注入し、前記２種類の溶液を地盤内で混合させ反応させて地盤中に微細で水に難溶性の析出物を発生させ地盤の透水性を低下させる注入管装置であって、
地盤中へ注入する２種類の溶液を別々に送給し地盤内へ注入する２本の注入管と、仕切り手段としてのパッカーゴムを膨脹させる１本の給水圧管とを主要部とし、
前記パッカーゴムの取り付け位置には、前記各管の外周を覆うパッカーシリンダと、各管を貫通させて固定するシリンダヘッドを備え、前記パッカーシリンダの外周にパッカーゴムが注入孔の孔壁に向かって膨脹可能に取り付けられ、パッカーシリンダ内を通る前記給水圧管と接続されていること、
前記２本の注入管には、前記パッカーシリンダ及びパッカーゴムから成る仕切り手段で仕切られた注入区間の位置毎に、２種類の溶液のいずれか一方の注入管にのみ、且つ上下に異なる注入区間の位置毎に異なる注入管に複数の注入口が上下方向に分布する配置で設けられ、各管の先端は閉止されていることをそれぞれ特徴とする、注入管装置。
【発明の詳細な説明】
【技術分野】
【０００１】
この発明は、砂地盤又は砂礫地盤の湧水防止又は軟弱地盤の改良を目的として地盤の透水性を低下させる方法、換言すれば低透水層を形成する方法、および同方法の実施に使用される注入管装置の技術分野に属する。
【背景技術】
【０００２】
従来、山留め壁の不良部分からの漏水防止、或いは透水性の良い砂地盤又は砂礫地盤が地中深くまで続く場所での開削工事における掘削底部からの湧き水防止などの対策工としては、通例、下記の特許文献１、２に開示されたような薬液注入工法を実施する場合が多い。注入する薬液材料としては、水ガラスを主成分とするもの、又はセメントを主成分とするものが主に使用される。前記特許文献１、２の工法は注入前に２液を接触させ、固化するまでの時間を利用して地盤内に浸透させることが特徴である。  
【０００３】
下記の特許文献３に開示された止水方法は、混合することにより不溶性の沈殿を生成する２種類以上の水溶液を別々に地盤内へ注入することを特徴としている。前記２種類以上の水溶液としては、カルシウム塩水溶液と炭酸塩及び／又は炭酸水溶液であることが記載されている。
【０００４】
下記の特許文献４、５は、本願発明者らの発明に係り、本願出願人の出願に係る特許である。２種類の水溶液を別々に地盤内へ注入し、地盤中で混合させ反応させることにより地盤内に微細で水に難溶性の析出物を２層以上発生させ地盤の透水性を低下させることを特徴とする。
【０００５】
下記の特許文献６、７の発明は、薬液注入工法に係るが、パッカーを複数使用して、地盤内に２個以上の改良体を造成することを特徴とする。
【０００６】
【特許文献１】特許第３３２４０１２号公報
【特許文献２】特開平１１−３６２８０号公報
【特許文献３】特開２０００−１０４０６６号公報
【特許文献４】特許第３６００８９２号公報
【特許文献５】特許第３６４３９５６号公報
【特許文献６】特許第３３１３３５１号公報
【特許文献７】特許第３５００４６４号公報
【発明の開示】
【発明が解決しようとする課題】
【０００７】
上記特許文献１、２に開示された薬液注入工法は、薬液材料として水ガラスを主成分とするもの、又はセメントを主成分とするものを使用し、注入前に２液を接触させ、固化するまでの時間を利用して地盤内に浸透させる方法であり、本願発明とは注入原理を異にするものである。注入範囲が注入孔周りの１ｍ〜２ｍと狭いため、極めて多数の注入孔が必要となるという問題点が認められる。
上記の特許文献３に開示された止水方法は、２種類以上の水溶液を別々に地盤内へ注入する点を注目できるが、注入手段については具体的な記載は一切されていない。
【０００８】
上記の特許文献４、５は、本願発明者らの発明に係るものであるため、本願発明とは注入原理を一部共通にする。しかし、微細で水に難溶性の析出物を地盤内に１層発生させるだけの構成であるため、地盤内へ注入した２種類の溶液のうち相互に接触して混合、反応することのないまま地盤中へ浸透し残留する溶液量の割合が多い。その分だけ地盤の透水性を低下させるために大量の溶液を注入する必要があり、不経済であるし、工期も長引く。また、生成した低透水層の上下に水圧差を生じた場合には、前記低透水層の層厚が薄いため局所的な動水勾配が作用するが、その圧力に対する低透水層の耐久性（耐圧性）が低いと懸念される。
【０００９】
上記の特許文献６、７は、薬液注入工法ではあるが、パッカーを複数使用して、地盤内に２個以上の改良体を多段に造成する点を注目できる。しかし、何れの工法も注入する前に２種類の溶液を接触させ、１本の注入管を通じて地盤中へ注入する方法であり、注入範囲が狭いという問題点を解決するために、大型の改良体を造成するか、或いは地盤別に改良体を造成する内容に過ぎない。
【００１０】
本発明の目的は、砂地盤又は砂礫地盤中へ容易に浸透する２種類以上の水溶液を別々に地盤中へ注入し、地盤中で反応させることによって地盤内に広範囲に微細で水に難溶性の析出物を発生させて地盤の透水性を低下させる方法であって、特には地盤内へ注入した２種類の溶液の接触効率を高めて混合、反応することのないまま地盤中へ浸透し残留する溶液量の割合を低減し、相対的に地盤の透水性を低下させるために必要な溶液の注入量を節減して経済性を高め、工期を短縮可能な、地盤の透水性を低下させる方法、及び同方法の実施に使用する注入管装置を提供することである。
本発明の次の目的は、地盤内に微細で水に難溶性の析出物を上下に複数層発生させて複合化し、地盤の透水性を低下させる層を実質大厚に形成し、もって低透水層の上下に水圧差を生じて局所的な動水勾配が作用した場合でも、圧力に対する耐久性（耐圧性）が大きく安定な低透水層を造成する方法、及び同方法の実施に使用する注入管装置を提供することである。
【課題を解決するための手段】
【００１１】
上記した従来技術の課題を解決するための手段として、請求項１に記載した発明に係る地盤の透水性を低下させる方法は、
地盤１中に注入孔１８を掘削し、前記注入孔１８へ注入管装置２を挿入して設置し、地上から前記注入管装置２を通じて２種類の溶液Ｘ、Ｙを別々に注入し、注入した前記２種類の溶液Ｘ、Ｙを地盤内で混合させ反応させて地盤１中に微細で水に難溶性の析出物８を発生させ地盤の透水性を低下させる方法において、
前記注入管装置２は、２種類の溶液Ｘ、Ｙを別々に送給する２本の注入管１０、１１及び注入孔１８を上下に仕切る複数の仕切り手段６を備え、前記仕切り手段６により上下に仕切られた複数の注入区間７Ａ〜７Ｄから地盤中へ２種類の溶液Ｘ、Ｙを互い違いの順列で注入する構成とし、
注入孔１８内へ設置した注入管装置２は、前記仕切り手段６で注入孔１８を上下方向に複数の注入区間７Ａ〜７Ｄに仕切った後に、各注入区間７Ａ〜７Ｄから地盤中へ２種類の溶液Ｘ、Ｙを互い違いの順列でそれぞれ水平方向に注入させ、
前記２種類の溶液Ｘ、Ｙを地盤１内で混合させ反応させて地盤中に微細で水に難溶性の析出物８を複数層発生させ地盤の透水性を低下させることを特徴とする。
【００１２】
請求項２に記載した発明に係る地盤の透水性を低下させる方法は、
地盤１中に一定の間隔を空けて注入孔１８と揚水孔を掘削し、前記注入孔１８へは注入管装置２を挿入し、揚水孔へは揚水管装置３を挿入してそれぞれ設置し、地上から前記注入管装置２を通じて２種類の溶液Ｘ、Ｙを別々に注入し、他方の揚水管装置３で地下水を揚水し地盤中に局所的な動水勾配θを形成して地下水流れを生じさせ、注入した前記２種類の溶液Ｘ、Ｙを地盤１内で混合させ反応させて地盤中に微細で水に難溶性の析出物８を発生させ地盤の透水性を低下させる方法において、
前記注入管装置２は、２種類の溶液Ｘ、Ｙを別々に送給する２本の注入管１０、１１及び注入孔１８を上下に仕切る複数の仕切り手段６を備え、前記仕切り手段６により上下に仕切られた複数の注入区間７Ａ〜７Ｄから地盤１中へ２種類の溶液Ｘ、Ｙを互い違いの順列で注入する構成とし、
注入孔１８内へ設置した注入管装置２は、前記仕切り手段６で注入孔１８を上下方向に複数の注入区間７Ａ〜７Ｄに仕切った後に、各注入区間７Ａ〜７Ｄから地盤１中へ２種類の溶液Ｘ、Ｙを互い違いの順列でそれぞれ水平方向に注入させ、
揚水孔内へ設置した揚水管装置３で、地盤１中の地下水を揚水して地盤中に局所的な動水勾配θを形成し地下水流れを生じさせ、
地盤１中へ注入した前記２種類の溶液Ｘ、Ｙを地盤内で混合させ反応させて地盤１中に微細で水に難溶性の析出物８を複数層発生させ地盤の透水性を低下させることを特徴とする。
【００１３】
請求項３に記載した発明は、請求項１又は２に記載した地盤の透水性を低下させる方法において、
地盤中へ注入する２種類の水溶液Ｘ、Ｙは、＋２価又は＋３価の鉄イオンを含む水溶液と、これを酸化させる水溶液であることを特徴とする。
【００１４】
請求項４に記載した発明は、請求項１又は２に記載した地盤の透水性を低下させる方法において、
地盤中へ注入する２種類の水溶液Ｘ、Ｙは、硫酸第１鉄水溶液（溶存鉄）と過マンガン酸カリウム水溶液（酸化剤）であることを特徴とする。
【００１５】
請求項５に記載した発明に係る注入管装置２は、
地盤１中に掘削した注入孔１８へ挿入して２種類の溶液Ｘ、Ｙを別々に注入し、前記２種類の溶液Ｘ、Ｙを地盤内で混合させ反応させて地盤１中に微細で水に難溶性の析出物８を発生させ地盤の透水性を低下させる注入管装置であって、
地盤１中へ注入する２種類の溶液Ｘ、Ｙを別々に送給し地盤内へ注入する２本の注入管１０、１１と、仕切り手段６としてのパッカーゴム６ｃを膨脹させる１本の給水圧管１２とを主要部とし、
前記パッカーゴム６ｃの取り付け位置には、前記各管の外周を覆うパッカーシリンダ６ａと、各管を貫通させて固定するシリンダヘッド６ｂを備え、前記パッカーシリンダ６ａの外周にパッカーゴム６ｃが注入孔１８の孔壁に向かって膨脹可能に取り付けられており、パッカーシリンダ６ａ内を通る前記給水圧管１２と接続されていること、
前記２本の注入管１０、１１には、前記パッカーシリンダ６ａ及びパッカーゴム６ｃから成る仕切り手段６で仕切られた注入区間７Ａ〜７Ｄの位置毎に、２種類の溶液Ｘ、Ｙのいずれか一方の注入管１０又は１１にのみ、且つ上下に異なる注入区間の位置毎に異なる注入管に複数の注入口１３…が上下方向に分布する配置で設けられ、各管の先端は閉止されていることをそれぞれ特徴とする。
【発明の効果】
【００１６】
本発明は、２種類の水溶液Ｘ、Ｙを別々に地盤１中へ注入し、地盤中で混合させ、反応させて地盤１中に微細で水に難溶性の析出物８を発生させ地盤の透水性を低下させる（低透水層を形成する）方法であるから、従来の例えば上記特許文献１、２および６、７のように注入前に２液を接触させる方法に比較して注入範囲が広く、効率的に低透水層８を形成できる。従って、注入孔１８のピッチを拡大して本数を減らすことができ効率的、経済的に工事を進められるし、工期の短縮化が図れる。
また、上下に仕切られた複数の注入区間７Ａ〜７Ｄに対して２種類の溶液Ｘ、Ｙを互い違いの順列で注入するので、中間の注入区間に注入した溶液はその上下の注入区間に注入した異種の溶液と混合、反応する機会、度合いが高く、その分地盤１内へ注入した２種類の溶液Ｘ、Ｙの接触効率が高まる。よって混合、反応することのないまま地盤中へ浸透し残留する溶液量の割合はぐんと低減し、相対的に地盤の透水性を低下させるために必要な溶液の注入量を節減できる。
【００１７】
本発明は、微細で水に難溶性の析出物８を地盤１内の上下に複数層発生させて複合化し、低透水層を実質大厚に形成するから、この低透水層の上下に水圧差を生じて局所的な動水勾配θが作用した場合でも、その圧力に対する耐久性（耐圧性）が高く安定している。
【発明を実施するための最良の形態】
【００１８】
注入管装置２は、２種類の溶液ＸＹを別々に送給する２本の注入管１０、１１、および注入孔１８を上下に仕切る複数の仕切り手段６を備え、前記仕切り手段６により上下に仕切られた複数の注入区間７Ａ〜７Ｄから地盤１中へ２種類の溶液Ｘ、Ｙを互い違いの順列で注入する構成とし、
注入孔１８内へ設置した注入管装置２は、前記仕切り手段６で注入孔１８を上下方向に複数の注入区間７Ａ〜７Ｄに仕切った後に、各注入区間７Ａ〜７Ｄから地盤１内へ２種類の溶液Ｘ、Ｙを互い違いの順列でそれぞれ水平方向に注入して、前記２種類の溶液Ｘ、Ｙを地盤中で混合させ反応させて地盤１内に微細で水に難溶性の析出物８を複数層発生させ地盤１の透水性を低下させる。
【００１９】
上記した地盤１の透水性を低下させる方法を実施するための注入管装置２は、
地盤１中へ注入する２種類の溶液Ｘ、Ｙを別々に送給し地盤内へ注入する２本の注入管１０、１１と、仕切り手段６としてのパッカーゴム６ｃを膨脹させる１本の給水圧管１２とを主要部とする。
前記パッカーゴム６ｃの取り付け位置には、前記各管の外周を覆うパッカーシリンダ６ａと、各管を貫通させて固定するシリンダヘッド６ｂを備え、前記パッカーシリンダ６ａの外周にパッカーゴム６ｃが注入孔１８の孔壁に向かって膨脹可能に取り付け、該パッカーゴム６ｃはパッカーシリンダ６ａ内を通る前記給水圧管１２と接続する。
前記２本の注入管１０、１１には、前記パッカーシリンダ６ａおよびパッカーゴム６ｃから成る仕切り手段６で仕切られる注入区間の位置毎に、２種類の溶液のいずれか一方の注入管にのみ、且つ上下に異なる注入区間７Ａ〜７Ｄの位置毎に異なる注入管１０又は１１に複数の注入口１３を上下方向に分布する配置で設け、各管１０、１１、１２の先端は閉止する。
【実施例１】
【００２０】
以下に、本発明を図示した実施例により説明する。
図１は、請求項２に係る発明の実施例として、施工対象地盤１中に一定の間隔Ｌをあけて注入管装置２（いわゆるリチャージ井戸）と揚水管装置３（揚水井戸）とを対の関係で設置した施工図を示している。
注入管装置２からは、第１の水溶液Ｘ（例えば硫酸第１鉄水溶液）と第２の水溶液Ｙ（例えば過マンガン酸カリウム水溶液）の２種類を、それぞれ後述する別異の注入管および注入ポンプ４を使用して（又は注入ポンプを使用することなく重力作用で）別々に注入する。他方の揚水管装置３からは揚水ポンプ５により地下水の揚水を行い、もって地盤中の地下水に局所的な動水勾配θを生じさせ、前記２種類の水溶液Ｘ、Ｙの地盤中への浸透と混合、反応を促進することは上記特許文献４、５の発明と同様である。
但し、本発明に係る地盤の透水性を低下させる方法は、図１のように、注入管装置２（リチャージ井戸）と揚水管装置３（揚水井戸）とを対の関係で設置して実施する内容に限らない。注入管装置２と揚水管装置３とを対の関係で設置して地盤中の地下水に局所的な動水勾配θを生じさせ、前記２種類の水溶液Ｘ、Ｙの浸透と混合、反応を促進することは好ましい実施態様であるが、実施の条件や目的によっては、注入管装置２のみを設置して、２種類の水溶液Ｘ、Ｙの注入を一方的に行う方法によっても、地盤の透水性を低下させる目的は達成できる（請求項１に係る発明）。
また、注入する２種類の水溶液としては、＋２価又は＋３価の鉄イオンを含む水溶液と、これを酸化させる水溶液の組合せ、具体的には硫酸第１鉄水溶液（溶存鉄）と過マンガン酸カリウム水溶液（酸化剤）を使用することができる。
【００２１】
図１は、注入管装置２が、図２に拡大図を例示したように、後述する構成の５個の仕切り手段６により注入孔を上下方向に仕切った四つの注入区間７Ａ〜７Ｄを構成し、注入管装置２は各注入区間７Ａ〜７Ｄ毎に地盤１に向かって２種類の溶液ＸとＹを上下に互い違いの順列でそれぞれ水平方向に注入する。一方、揚水管装置３は地下水を吸入、揚水して、前記２種類の溶液ＸとＹを地盤１中で効率よく出会わせ混合、反応させて地盤１内に微細で水に難溶性の析出物８による低透水層を合計３層発生させて地盤１の透水性を低下させる方法の概念図である。
【００２２】
図３〜図６に、請求項５に係る発明の実施例として注入管装置２の主要部の構成を具体的に示した。以下、これを説明する。
先ず図３は、注入管装置２を構成する仕切り手段である合計５個のパッカー部６と、前記パッカー部６によって地盤の注入孔を上下方向に仕切る四つの注入区間７Ａ〜７Ｄの関係、および２種類の溶液ＸとＹを別々に送給する２本の注入管１０、１１との関連する構成の全体図を示す。一例として、一つのパッカー部６の長さは３２０ｍｍ、一つの注入区間７の長さは６７０ｍｍ程度で、前記長さを１ピッチとする繰り返しで構成されている。
図３はまた、上記２本の注入管１０、１１のうち、１本の注入管１０は最下位の注入区間７Ｄに到達しているが、他の１本の注入管１１は次上位の注入区間７Ｃで止まっている構成を示している。２種類の溶液ＸとＹを注入する必要上の構成である。
【００２３】
図４は、上下二つのパッカー部６、６と、これらによって仕切られた一つの注入区間７との関連する構成を拡大して示す。パッカー部６は、剛なステンレス鋼製のシリンダ６ａとシリンダヘッド６ｂ、及びシリンダ６ａの外周に設置したパッカーゴム６ｃ（詳しくは図６を参照。）とで構成されている。上記２本の注入管１０、１１は前記シリンダヘッド６ｂを貫通する構成で配管され、これらの外周をシリンダ６ａが覆う構成である。因みにシリンダ６ａの外径は８０ｍｍ程度である。
上記一つの注入区間７には、いずれか１本の注入管１０又は１１にのみ、２種類の溶液ＸとＹのうちの一方の溶液のみを注出する複数の注入口１３…が、一例として口径が５ｍｍの大きさで、管軸方向に２５ｍｍピッチで一列又は円周方向に複数列に分布する配置で多数設けられている。
【００２４】
図５は更に、注入管装置２には、上記２本の注入管１０、１１のほかに、仕切り手段としてのパッカーゴム６ｃを膨脹させる圧力水を供給する１本の給水圧管１２が含まれている構成を示している。給水圧管１２もまた、シリンダヘッド６ｂを貫通する構成で配管されている。２本の注入管１０、１１および１本の給水圧管１２はそれぞれ、要所要所を管継手により接続して配管されている。給水圧管１２は、各パッカー部６の位置において、ほぼ直角な分岐継手１７によりシリンダ外周のパッカーゴム６ｃと接続されている。
上下に隣接するパッカー部６、６のシリンダ６ａ及びシリンダヘッド６ｂの間は、連結具としての連結環１５ａとスプリングスナップ１５ｂを利用した連結ワイヤー１６で一連に強固に連結されている。
【００２５】
図６は、最下位のパッカー部６の構造詳細を示す。パッカー部６のシリンダ６ａは、その上下の端部をシリンダヘッド６ｂで塞がれている。パッカーゴム６ｃは、地盤に掘削された注入孔１８（孔内径は１００ｍｍ程度）の孔壁に向かって膨脹可能であるようにシリンダ６ａの外周に上下の位置をバンド類で締め付けて中間部が膨らむ構成で取り付けられている。シリンダ６ａの剛性が大きいので、パッカーゴム６ｃは外方へのみ膨らんで仕切り効果を発揮する。
【００２６】
本発明の方法を、上記構成の注入管装置２を使用して実施する場合には、先ず図７Ａに示すように地盤１中に注入孔１８を掘削し、前記孔壁の崩壊防止の為に有孔管（図示は省略）を立込んだ井戸構造とする。前記注入孔１８の中へ注入管装置２を挿入して設置（位置を固定）する。そして、地上に用意した給水ポンプ装置（図示省略）と上記注入管装置２の給水圧管１２とを接続し、適宜に調整された水圧を給水圧管１２へ送って各パッカー部６のパッカーゴム６ｃを膨脹させて注入孔１８を仕切る。各パッカー部６のパッカーゴム６ｃを等しく同期に膨脹させるので、注入孔１８を上下方向に仕切った注入区間７Ａ〜７Ｄを形成する。
しかる後に、注入管装置２の２本の注入管１０、１１を、２種類の溶液Ｘ、Ｙの供給源２０、２１（図１参照）と接続して、２種類の溶液Ｘ、Ｙを別々に注入してゆき、注入した前記２種類の溶液Ｘ、Ｙを地盤内で混合させ反応させて地盤中に微細で水に難溶性の析出物８を発生させ地盤の透水性を低下させる。
【００２７】
上記実施例のようにして三つの低透水層を形成すると、図８に水圧分布の一例を示したように、三つの低透水層の上下に水圧差を生じても、水圧分布の勾配は、従来の図９に例示した１層のみの場合に比較すると極めて緩やかなものとなり、それだけ圧力に対する耐久性（耐圧性）が大きく安定した構造になる。
【００２８】
以上に本発明を図示した実施例に基づいて説明したが、本発明は上記実施例の限りではない。本発明の要旨及び技術的思想を逸脱しない範囲で、いわゆる当業者が必要に応じて行う設計変更や変形、応用の態様で種々に実施されるものであることを主張する。
【図面の簡単な説明】
【００２９】
【図１】本発明の透水性を低下させる方法の実施例を概念的に示した断面図である。
【図２】２種類の溶液の注入態様を示した説明図である。
【図３】注入管装置の溶液注入部分の構成を示した立面図である。
【図４】注入管装置におけるパッカー部と注入区間の関係する構造を示した断面図である。
【図５】注入管装置における給水圧管とパッカー部の関係する構造を示した断面図である。
【図６】注入管装置に最下位のパッカー部を拡大して示した断面図である。
【図７】Ａ〜Ｄは本発明の透水性を低下させる方法の実施工程を概念的に示した断面図である。
【図８】本発明による透水性を低下させる方法の効果を説明する水圧分布図である。
【図９】従来の一つの低透水層の効果を説明する水圧分布図である。
【符号の説明】
【００３０】
１          地盤
２          注入管装置
３          揚水管装置
Ｘ          第１の水溶液
Ｙ          第２の水溶液
１０、１１  注入管
１８        注入孔
６          仕切り手段（パッカー部）
７Ａ〜７Ｄ  注入区間
６ａ        シリンダ
６ｃ        パッカーゴム
１３        注入口
【図１】
2006299758.tif 000003
【図２】
2006299758.tif 000004
【図３】
2006299758.tif 000005
【図４】
2006299758.tif 000006
【図５】
2006299758.tif 000007
【図６】
2006299758.tif 000008
【図７】
2006299758.tif 000009
【図８】
2006299758.tif 000010
【図９】
2006299758.tif 000011